(57)【要約】【課題】  維持電極を駆動する維持駆動ボードを除去することができ、また、維持期間に自己消去放電を防止することができるようにする。【解決手段】  プラズマ表示装置において、維持期間の間に維持電極に接地電圧が印加された状態で、走査電極にＶｓ電圧及び−Ｖｓ電圧が交互に印加される。走査電極の電圧がＶｓ電圧から接地電圧より高いＶｓ１電圧まで減少し、Ｖｓ１電圧から−Ｖｓ電圧まで減少した後に、走査電極に−Ｖｓ電圧が印加される。そして、走査電極の電圧が−Ｖｓ電圧から接地電圧より低いＶｓ２電圧まで増加し、Ｖｓ２電圧からＶｓ電圧まで増加した後に、走査電極にＶｓ電圧が印加される。【選択図】            図５
2006072350.tif 000002
【特許請求の範囲】
【請求項１】
複数の第１電極、複数の第２電極、及び前記第１電極及び第２電極に交差する方向に形成される複数の第３電極を含むプラズマ表示装置で、１フレームを複数のサブフィールドに分割して駆動する方法において、
前記サブフィールドのうちの前記複数の第１電極に第１電圧が印加される維持期間に、
前記複数の第２電極に前記第１電圧より高い第２電圧を印加する段階、
前記複数の第２電極の電圧を前記第２電圧から第３電圧まで減少させる段階、
前記複数の第２電極の電圧を前記第３電圧から前記第１電圧より低い第４電圧まで減少させる段階、
前記複数の第２電極に前記第４電圧を印加する段階、
前記複数の第２電極の電圧を前記第４電圧から前記第２電圧より低い第５電圧まで増加させる段階、
前記複数の第２電極の電圧を前記第５電圧から前記第２電圧まで増加させる段階を含み、
前記第３電圧及び前記第５電圧のうちの少なくとも一つの電圧は前記第２電圧及び前記第４電圧の中間電圧である第６電圧とは異なる、プラズマ表示装置の駆動方法。
【請求項２】
前記第３電圧は前記第６電圧より高い電圧である、請求項１に記載のプラズマ表示装置の駆動方法。
【請求項３】
前記第５電圧は前記第６電圧より低い電圧である、請求項１に記載のプラズマ表示装置の駆動方法。
【請求項４】
前記第６電圧及び前記第１電圧は同一な電圧である、請求項１乃至３のいずれか一項に記載のプラズマ表示装置の駆動方法。
【請求項５】
前記第１電圧は接地電圧である、請求項４に記載のプラズマ表示装置の駆動方法。
【請求項６】
前記サブフィールドのリセット期間のうちの一部及びアドレス期間に、前記複数の第１電極に第７電圧を印加する段階をさらに含む、 請求項１乃至３のうちのいずれか一項に記載のプラズマ表示装置の駆動方法。
【請求項７】
前記第７電圧及び前記第１電圧は同一な電圧である、請求項６に記載のプラズマ表示装置の駆動方法。
【請求項８】
前記第７電圧は前記第１電圧より高い電圧である、請求項６に記載のプラズマ表示装置の駆動方法。
【請求項９】
前記リセット期間のうちの一部に前記複数の第１電極に前記第７電圧を印加する段階は、
前記複数の第２電極の電圧を第８電圧から第９電圧まで漸進的に減少させる段階を含む、請求項６に記載のプラズマ表示装置の駆動方法。
【請求項１０】
前記アドレス期間に前記複数の第１電極に前記第７電圧を印加する段階は、
前記複数の第２電極に順次に走査パルスを印加し、前記複数の第３電極に選択的にアドレスパルスを印加する段階を含む、請求項６に記載のプラズマ表示装置の駆動方法。
【請求項１１】
前記第１電圧は接地電圧である、請求項６に記載のプラズマ表示装置の駆動方法。
【請求項１２】
前記複数の第２電極の電圧が前記第３電圧または前記第５電圧に変更された後に、一定の期間の間維持される、請求項１乃至３のうちのいずれか一項に記載のプラズマ表示装置の駆動方法。
【請求項１３】
複数の第１電極、複数の第２電極、及び前記第１電極及び第２電極に交差する方向に形成される複数の第３電極をフクムプラズマ表示パネル、
１フレームを複数のサブフィールドに分割する制御部、そして
前記各サブフィールドの維持期間に、前記複数の第１電極に第１電圧を印加し、前記複数の第２電極に前記第１電圧より高い第２電圧及び前記第２電圧より低い第３電圧を交互に印加する駆動部を含み、
前記駆動部は、
前記複数の第２電極の電圧が前記第２電圧から前記第３電圧まで減少する第１期間及び前記複数の第２電極の電圧が前記第３電圧から前記第２電圧まで増加する第２期間のうちの少なくとも一つの期間で、前記第１期間及び第２期間より短い一定の期間の間、前記複数の第２電極に第１電圧とは異なる第４電圧を印加する、プラズマ表示装置。
【請求項１４】
前記駆動部は、前記第１期間で前記一定の期間の間、前記複数の第２電極に前記第４電圧を印加し、
前記第４電圧は前記第１電圧より高い電圧である、請求項１３に記載のプラズマ表示装置。
【請求項１５】
前記駆動部は、前記第２期間で前記一定の期間の間、前記複数の第２電極に前記第４電圧を印加し、
前記第４電圧は前記第１電圧より低い電圧である、請求項１３に記載のプラズマ表示装置。
【請求項１６】
前記駆動部は、前記複数のサブフィールドの間に、前記複数の第１電極に前記第１電圧を印加した状態で、前記複数の第２電極及び前記複数の第３電極に前記プラズマ表示パネルに画像を表示するための駆動波形を印加する、請求項１３乃至１５のうちのいずれか一項に記載のプラズマ表示装置。
【請求項１７】
前記第１電圧は接地電圧である、請求項１６に記載のプラズマ表示装置。
【発明の詳細な説明】
【技術分野】
【０００１】
本発明は、プラズマ表示装置及びその駆動方法に関する。
【背景技術】
【０００２】
プラズマ表示装置は、気体放電によって生成されたプラズマを利用して文字または画像を表示するプラズマ表示パネルを利用した表示装置である。このようなプラズマ表示パネルには、複数の放電セルがマトリックス形態に配列されている。
【０００３】
このようなプラズマ表示装置では、１フレームが各々の加重値を有する複数のサブフィールドに分割されて駆動され、各サブフィールドは、リセット期間、アドレス期間、維持期間からなる。リセット期間は、アドレス放電を安定的に行うために放電セルの状態を初期化する期間であり、アドレス期間は、複数の放電セルのうちの点灯されるセル及び点灯されないセルを選択する期間である。維持期間は、実際に画像を表示するために点灯されるセルに対して維持放電を行う期間である。
【０００４】
このような動作を行うために、維持期間では、走査電極及び維持電極に交互に維持放電パルスが印加され、リセット期間及びアドレス期間では、走査電極にリセット波形及び走査波形が印加される。したがって、走査電極を駆動するための走査駆動ボード及び維持電極を駆動するための維持駆動ボードが別個に存在しなければならない。このように駆動ボードが別個に存在すると、シャーシベースに駆動ボードを実装するという問題点があり、二つの駆動ボードによって単価が増加するという問題点がある。
【０００５】
したがって、二つの駆動ボードを一つに統合して走査電極の一端に形成し、維持電極の一端を長く延長して一つに統合されたボードに連結する方法が提案された。ところが、このように二つの駆動ボードを一つに統合すると、長く延長された維持電極で形成されるインピーダンス成分が大きくなるという問題点がある。
【発明の開示】
【発明が解決しようとする課題】
【０００６】
本発明が目的とする技術的課題は、維持電極を駆動する維持駆動ボードを除去することができるプラズマ表示装置を提供することにある。また、本発明は他の技術的課題は、維持期間に自己消去放電を防止することができる駆動波形を提供することにある。
【課題を解決するための手段】
【０００７】
本発明の一つの特徴によれば、複数の第１電極、複数の第２電極、及び前記第１電極及び第２電極に交差する方向に形成される複数の第３電極を含むプラズマ表示装置で、１フレームを複数のサブフィールドに分割して駆動する方法が提供される。この駆動方法は、前記複数の第２電極に前記第１電圧より高い第２電圧を印加する段階、前記複数の第２電極の電圧を前記第２電圧から第３電圧まで減少させる段階、前記複数の第２電極の電圧を前記第３電圧から前記第１電圧より低い第４電圧まで減少させる段階、前記複数の第２電極に前記第４電圧を印加する段階、前記複数の第２電極の電圧を前記第４電圧から前記第２電圧より低い第５電圧まで増加させる段階、前記複数の第２電極の電圧を前記第５電圧から前記第２電圧まで増加させる段階を含み、前記第３電圧及び前記第５電圧のうちの少なくとも一つの電圧は前記第２電圧及び前記第４電圧の中間電圧である第６電圧とは異なる。
【０００８】
ここで、前記第３電圧は前記第６電圧より高い電圧であり、前記第５電圧は前記第６電圧より低い電圧である。
【０００９】
また、前記サブフィールドのリセット期間のうちの一部及びアドレス期間に、前記複数の第１電極に第７電圧を印加することができ、ここで、前記第７電圧及び前記第１電圧は同一な電圧である。そして、第１電圧は接地電圧である。
【００１０】
本発明の他の一つの特徴によれば、プラズマ表示装置が提供される。このプラズマ表示装置は、プラズマ表示パネル、制御部、及び駆動部を含む。プラズマ表示パネルは、複数の第１電極、複数の第２電極、及び前記第１電極及び第２電極に交差する方向に形成される複数の第３電極を含む。制御部は、１フレームを複数のサブフィールドに分割する。駆動部は、前記各サブフィールドの維持期間に、前記複数の第１電極に第１電圧を印加し、前記複数の第２電極に前記第１電圧より高い第２電圧及び前記第２電圧より低い第３電圧を交互に印加する。前記駆動部は、前記複数の第２電極の電圧が前記第２電圧から前記第３電圧まで減少する第１期間及び前記複数の第２電極の電圧が前記第３電圧から前記第２電圧まで増加する第２期間のうちの少なくとも一つの期間で、前記第１期間及び第２期間より短い一定の期間の間、前記複数の第２電極に第１電圧とは異なる第４電圧を印加する。
【発明の効果】
【００１１】
本発明によれば、維持電極を駆動する維持駆動ボードを除去することができるプラズマ表示装置を提供し、また、維持期間に自己消去放電を防止することができる駆動波形を提供することができる。
【発明を実施するための最良の形態】
【００１２】
以下、添付した図面を参照して、本発明の実施形態について、本発明が属する技術分野における通常の知識を有する者が容易に実施することができるように詳細に説明する。しかし、本発明は多様な相異した形態で実現でき、ここで説明する実施形態に限定されない。図面では、本発明を明確に説明するために、説明に不必要な部分は省略した。明細書全体にかけて類似した部分については、同一な図面符号を付けた。
【００１３】
本発明で、壁電荷とは、セルの壁（例えば誘電体層）上で各電極に近く形成される電荷を言う。そして、壁電荷は、実際には電極そのものに接触しないが、ここでは、電極に“形成される”、“蓄積される”、または“積まれる”のように説明する。また、壁電圧は、壁電荷によってセルの壁に形成される電位差を言う。
【００１４】
それでは、本発明の実施形態によるプラズマ表示装置及びその駆動方法について、図面を参照して詳細に説明する。
【００１５】
まず、本発明の実施形態によるプラズマ表示装置の概略的な構造について、図１乃至図３を参照して詳しく説明する。
【００１６】
図１は本発明の実施形態によるプラズマ表示装置の分解斜視図であり、図２は本発明の実施形態によるプラズマ表示パネルの概略的な概念図である。図３は本発明の実施形態によるシャーシベースの概略的な平面図である。
【００１７】
図１に示したように、プラズマ表示装置は、プラズマ表示パネル１０、シャーシベース２０、前面ケース３０、及び後面ケース４０を含む。
【００１８】
シャーシベース２０は、プラズマ表示パネル１０で画像が表示される面の反対側に配置され、プラズマ表示パネル１０と結合される。前面ケース３０及び後面ケース４０は、プラズマ表示パネル１０の前面及びシャーシベース２０の後面に各々配置され、プラズマ表示パネル１０及びシャーシベース２０と結合されて、プラズマ表示装置を形成する。
【００１９】
図２を参照すると、プラズマ表示パネル１０は、縦方向にのびている複数のアドレス電極（Ａ１〜Ａｍ）、そして横方向にのびている複数の走査電極（Ｙ１〜Ｙｎ）及び複数の維持電極（Ｘ１〜Ｘｎ）を含む。一般に、維持電極（Ｘ１〜Ｘｎ）は、各走査電極（Ｙ１〜Ｙｎ）に対応して形成されており、維持電極及び走査電極が維持期間に画像を表示するための表示動作を行う。ここで、走査電極（Ｙ１〜Ｙｎ）及び維持電極（Ｘ１〜Ｘｎ）とアドレス電極（Ａ１〜Ａｍ）とは各々直交するように配置されている。この時、アドレス電極（Ａ１〜Ａｍ）と維持電極（Ｘ１〜Ｘｎ）及び走査電極（Ｙ１〜Ｙｎ）との交差部にある放電空間がセル１２を形成する。
【００２０】
そして、図３に示したように、シャーシベース２０には、プラズマ表示パネル１０の駆動に必要なボード１００〜５００が形成されている。アドレスバッファーボード１００は、シャーシベース２０の上部及び下部に各々形成され、単一ボードからなることも複数のボードからなることもできる。図３では、デュアル駆動をするプラズマ表示装置を例示して説明しているが、シングル駆動の場合には、アドレスバッファーボード１００は、シャーシベース２０の上部及び下部のうちのいずれか一ヶ所に形成される。このようなアドレスバッファーボード１００は、制御ボード４００からアドレス駆動制御信号を受信して、表示しようとする放電セルを選択するための電圧を各アドレス電極（Ａ１〜Ａｍ）に印加する。
【００２１】
走査駆動ボード２００は、シャーシベース２０の左側に配置され、走査バッファーボード３００を通過して走査電極（Ｙ１〜Ｙｎ）に電気的に連結されており、維持電極（Ｘ１〜Ｘｎ）は一定の電圧にバイアスされている。走査バッファーボード３００は、アドレス期間に走査電極（Ｙ１〜Ｙｎ）を順次に選択するための電圧を走査電極（Ｙ１〜Ｙｎ）に印加する。走査駆動ボード２００は、制御ボード４００から駆動信号を受信して、走査電極（Ｙ１〜Ｙｎ）に駆動電圧を印加する。そして、図３では、走査駆動ボード２００及び走査バッファーボード３００がシャーシベース２０の左側に配置されることを示したが、シャーシベース２０の右側に配置されることもできる。また、走査バッファーボード３００は、走査駆動ボード２００と一体型に形成されることもできる。
【００２２】
制御ボード４００は、外部から映像信号を受信して、アドレス電極（Ａ１〜Ａｍ）の駆動に必要な制御信号及び走査電極（Ｙ１〜Ｙｎ）及び維持電極（Ｘ１〜Ｘｎ）の駆動に必要な制御信号を生成し、各々アドレスバッファーボード１００及び走査駆動ボード２００に印加する。電源ボード５００は、プラズマ表示装置の駆動に必要な電源を供給する。制御ボード４００及び電源ボード５００は、シャーシベース２０の中央に配置される。
【００２３】
ここで、アドレスバッファーボード１００、走査駆動ボード２００、及び走査バッファーボード３００は、アドレス電極（Ａ）及び走査電極（Ｙ）を駆動する駆動部を形成し、制御ボード４００は、駆動部を制御する制御部を形成し、電源ボード５００は、駆動部及び制御部に電源を供給する電源部を形成する。
【００２４】
次に、図４を参照して、本発明の第１実施形態によるプラズマ表示装置の駆動波形について詳細に説明する。
【００２５】
図４は本発明の第１実施形態によるプラズマ表示装置の駆動波形図である。以下では、便宜上、一つのセルを形成する走査電極（以下、“Ｙ電極”とする）、維持電極（以下、“Ｘ電極”とする）、及びアドレス電極（以下、“Ａ電極”とする）に印加される駆動波形についてのみ説明する。そして、図４の駆動波形で、Ｙ電極に印加される電圧は走査駆動ボード２００及び走査バッファーボード３００から供給され、Ａ電極に印加される電圧はアドレスバッファーボード１００から供給される。また、Ｘ電極は基準電圧（図４では接地電圧）にバイアスされているので、Ｘ電極に印加される電圧については説明を省略する。
【００２６】
図４に示したように、リセット期間の上昇期間では、Ａ電極を基準電圧（図４では０Ｖ）に維持した状態で、Ｙ電極の電圧をＶｓ電圧からＶｓｅｔ電圧まで漸進的に増加させる。 図４では、Ｙ電極の電圧がランプ形態で増加することを示した。そうすると、Ｙ電極の電圧が増加する間にＹ電極とＸ電極との間及びＹ電極とＡ電極との間で微弱な放電（以下、“弱放電”とする）が起こって、Ｙ電極には（−）壁電荷が形成され、Ｘ電極及びＡ電極には（＋）壁電荷が形成される。そして、電極の電圧が図４のように漸進的に変化する場合には、セルに微弱な放電が起こって、外部から印加された電圧及びセルの壁電圧の合計が放電開始電圧の状態を維持するように壁電荷が形成される。このような原理については、ウェーバー（Ｗｅｂｅｒ）の米国登録特許第５，７４５，０８６に開示されている。リセット期間では、全てのセルの状態を初期化しなければならないので、Ｖｓｅｔ電圧は全ての条件のセルで放電が起こる程度に高い電圧である。
【００２７】
リセット期間の下降期間では、Ａ電極を基準電圧に維持した状態で、Ｙ電極の電圧をＶｓ電圧からＶｎｆ電圧まで漸進的に減少させる。そうすると、Ｙ電極の電圧が減少する間にＹ電極とＸ電極との間及びＹ電極とＡ電極との間で弱放電が起こって、Ｙ電極に形成された（−）壁電荷、及びＸ電極及びＡ電極に形成された（＋）壁電荷が消去される。一般に、Ｖｎｆ電圧の大きさはＹ電極とＸ電極との間の放電開始電圧近くに設定される。そうすると、Ｙ電極とＸ電極との間の壁電圧がほぼ０Ｖになって、点灯されないセルが維持期間に放電するのを防止することができる。そして、Ａ電極は基準電圧に維持されているので、Ｖｎｆ電圧のレベルによってＹ電極とＡ電極との間の壁電圧が決定される。
【００２８】
アドレス期間では、点灯される放電セルを選択するために、Ｙ電極及びＡ電極に各々ＶｓｃＬ電圧を有する走査パルス及びＶａ電圧を有するアドレスパルスを印加する。そして、選択されないＹ電極はＶｓｃＬ電圧より高いＶｓｃＨ電圧にバイアスし、点灯されないセルのＡ電極には基準電圧を印加する。そうすると、Ｖａ電圧が印加されたＡ電極及びＶｓｃＬ電圧が印加されたＹ電極によって形成される放電セルでアドレス放電が起きて、Ｙ電極に（＋）壁電荷が形成され、Ａ電極及びＸ電極に各々（−）壁電荷が形成される。アドレス期間にこのような動作を行うために、走査バッファーボード３００は、Ｙ電極（Ｙ１〜Ｙｎ）のうちのＶｓｃＬ電圧を有する走査パルスが印加されるＹ電極を選択する。例えば、シングル駆動では、垂直方向に配列された順にＹ電極を選択することができる。そして、一つのＹ電極が選択される場合、アドレスバッファーボード１００は、当該Ｙ電極によって形成された放電セルのうちの点灯される放電セルを選択する。つまり、アドレスバッファーボード１００は、Ａ電極（Ａ１〜Ａｍ）のうちのＶａ電圧を有するアドレスパルスが印加されるセルを選択する。
【００２９】
具体的に、まず、第１行のＹ電極（図２のＹ１）に走査パルスが印加されると同時に、第１行のうちの点灯されるセルに位置するＡ電極にアドレスパルスが印加される。そうすると、第１行のＹ電極とアドレスパルスが印加されたＡ電極との間で放電が起こって、Ｙ電極に（＋）壁電荷が形成され、Ａ電極及びＸ電極に各々（−）壁電荷が形成される。その結果、Ｙ電極とＸ電極との間にＹ電極の電位がＸ電極の電位に対して高くなるように壁電圧（Ｖｗｘｙ）が形成される。次に、第２行のＹ電極（図２のＹ２）に走査パルスが印加されると同時に、第２行のうちの点灯されるセルに位置するＡ電極にアドレスパルスが印加される。そうすると、アドレスパルスが印加されたＡ電極及び第２行のＹ電極によって形成されるセルでアドレス放電が起こって、セルに壁電荷が形成される。同様に、残り行のＹ電極に対しても順次に走査パルスが印加されると同時に、点灯されるセルに位置するＡ電極にアドレスパルスが印加されて、当該セルに壁電荷が形成される。
【００３０】
このようなアドレス期間に、ＶｓｃＬ電圧は一般にＶｎｆ電圧と同一か低いレベルに設定され、Ｖａ電圧は基準電圧より高いレベルに設定される。例えば、ＶｓｃＬ電圧及びＶｎｆ電圧が同一なレベルである場合に、Ｖａ電圧が印加される時にセルでアドレス放電が起こる理由について説明する。リセット期間にＶｎｆ電圧が印加される場合に、Ａ電極とＹ電極との間の壁電圧及びＡ電極とＹ電極との間の外部電圧（Ｖｎｆ）の合計は、Ａ電極とＹ電極との間の放電開始電圧（Ｖｆａｙ）によって決定される。ところが、アドレス期間にＡ電極に０Ｖが印加され、Ｙ電極にＶｓｃＬ（＝Ｖｎｆ）電圧が印加される場合に、Ａ電極とＹ電極との間にはＶｆａｙ電圧が形成されるので放電が起こり得るが、一般に、この場合の放電遅延時間が走査パルス及びアドレスパルスの幅より長いので、放電が起こらない。ところが、Ａ電極にＶａ電圧が印加され、Ｙ電極にＶｓｃＬ（＝Ｖｎｆ）電圧が印加される場合に、Ａ電極とＹ電極との間にはＶｆａｙ電圧より高い電圧が形成され、放電遅延時間が走査パルスの幅より短くなるので、放電が起こり得る。この時、アドレス放電がより確実に起こるようにするために、ＶｓｃＬ電圧をＶｎｆ電圧より低い電圧に設定することができる。
【００３１】
次に、アドレス期間にドレス放電が起こったセルでは、Ｙ電極の電位がＸ電極の電位に対して高くなるように壁電圧（Ｖｗｘｙ）が形成されたので、維持期間では、Ａ電極を基準電圧に維持した状態で、Ｙ電極に先にＶｓ電圧を有する維持放電パルスが印加されて、Ｙ電極とＸ電極との間で維持放電が起こる。この時、Ｖｓ電圧はＹ電極とＸ電極との間の放電開始電圧（Ｖｆｘｙ）より低く設定され、（Ｖｓ＋Ｖｗｘｙ）電圧はＶｆｘｙ電圧より高く設定される。維持放電の結果、Ｙ電極に（−）壁電荷が形成され、Ｘ電極及びＡ電極に（＋）壁電荷が形成されて、Ｘ電極の電位がＹ電極の電位に対して高くなるように壁電圧（Ｖｗｙｘ）が形成される。
【００３２】
次に、Ｙ電極に−Ｖｓ電圧を有する維持放電パルスが印加されて、Ｙ電極とＸ電極との間で維持放電が起こる。その結果、Ｙ電極に（＋）壁電荷が形成され、Ｘ電極及びＡ電極に（−）壁電荷が形成されて、Ｙ電極にＶｓ電圧が印加される時に維持放電が起こり得る状態になる。その後、Ｖｓ電圧及び−Ｖｓ電圧を交互に有する維持放電パルスが、当該サブフィールドが表示する加重値に対応する回数だけＹ電極に印加される。
【００３３】
このように、本発明の第１実施形態では、Ｘ電極を基準電圧にバイアスした状態で、Ｙ電極に印加される駆動波形だけでリセット動作、アドレス動作、及び維持放電動作を行うことができる。したがって、Ｘ電極を駆動する駆動ボードを除去することができ、単にＸ電極を基準電圧にバイアスすればよい。そして、維持放電パルスがＹ電極にだけ印加されるので、インピーダンスが常に一定である。
【００３４】
一方、本発明の第１実施形態の維持期間のようにＹ電極にだけＶｓ電圧及び−Ｖｓ電圧を交互に有する維持放電パルスが印加される場合には、急激な電圧の変化（例えばＶｓ電圧から−Ｖｓ電圧、または−Ｖｓ電圧からＶｓ電圧）によって自己消去（ｓｅｌｆ-ｅｒａｓｉｎｇ）による放電が起きて、Ｘ電極及びＹ電極に形成された壁電荷を消去することがある。このように自己消去放電が起こると、その後の維持放電が確実に生じなかったり、維持放電が弱く起こったりして、階調表現に問題点が生じる。以下では、このような自己消去放電を防止することができる実施形態について、図５を参照して詳細に説明する。
【００３５】
図５は本発明の第２実施形態によるプラズマ表示装置の駆動波形図である。
【００３６】
図５に示したように、維持期間にＹ電極の電圧をＶｓ電圧からＶｓ電圧よりは低くて−Ｖｓ電圧よりは高いＶｓ１電圧まで減少させた後に、−Ｖｓ電圧まで減少させる。そして、Ｙ電極の電圧を−Ｖｓ電圧から−Ｖｓ電圧よりは高くてＶｓ電圧よりは低いＶｓ２電圧まで増加させた後に、Ｖｓ電圧まで増加させる。ここで、Ｙ電極の電圧をＶｓ１電圧まで減少させた後、Ｙ電極をＶｓ１電圧に一定の期間の間維持することができ、同様に、Ｙ電極の電圧をＶｓ２電圧まで増加させた後、Ｙ電極をＶｓ２電圧に一定の期間の間維持することもできる。
【００３７】
このようにすれば、Ｙ電極の電圧をＶｓ電圧から−Ｖｓ電圧まで減少させたり−Ｖｓ電圧からＶｓ電圧まで増加させたりする時よりＹ電極の電圧の変化が減少するので、自己消去放電を防止することができる。
【００３８】
一方、Ｖｓ１電圧をＶｓ電圧及び−Ｖｓ電圧の中間電圧である０Ｖより高く設定すれば、Ｖｓ１電圧が０Ｖである時より−Ｖｓ電圧が印加される時点での電圧の変化が大きいので、維持放電が容易に起こり得る。同様に、Ｖｓ２電圧をＶｓ電圧及び−Ｖｓ電圧の中間電圧である０Ｖより低く設定すれば、Ｖｓ２電圧が０Ｖである時よりＶｓ電圧が印加される時点での電圧の変化が大きいので、維持放電が容易に起こり得る。
【００３９】
そして、本発明の第２実施形態では、一つのサブフィールドのリセット期間、アドレス期間、及び維持期間の間に、Ｘ電極に基準電圧（０Ｖ）が印加されることを説明した。これとは異なって、リセット期間の下降期間及び／またはアドレス期間の間に、Ｘ電極が基準電圧より高い電圧にバイアスされることもできる。このようにすれば、Ｘ電極に印加される電圧が高くなるので、Ｙ電極に印加される電圧を図４及び図５での電圧より高くすることができる。
【００４０】
そして、このようにしても、基準電圧より高い電圧が走査駆動ボード２００から印加されるので、Ｘ電極を駆動するボードを除去することができる。また、維持期間では、Ｘ電極が基準電圧にバイアスされた状態で、Ｙ電極にだけ−Ｖｓ電圧及びＶｓ電圧を交互に有する維持放電パルスが印加されるので、Ｖｓ電圧及び−Ｖｓ電圧が印加される時に形成される経路でのインピーダンスは同一である。
【００４１】
以上で、本発明の実施形態では、リセット期間の間にＹ電極の電圧がランプ形態で変化することを示したが、Ｙ電極の電圧は他の形態で漸進的に変化することもできる。
【００４２】
また、本発明の実施形態では、リセット期間が上昇期間及び下降期間からなることを示したが、リセット期間は下降期間だけからなることもできる。この時、上昇期間がないサブフィールドのリセット期間では、直前のサブフィールドで維持放電が起こったセルだけが初期化される。
【００４３】
以上で、本発明の実施形態について詳細に説明したが、本発明の権利範囲はこれに限定されず、請求の範囲で定義している本発明の基本概念を利用した当業者の様々な変形及び改良形態も、本発明の権利範囲に属する。
【産業上の利用可能性】
【００４４】
本発明はプラズマ表示装置の制御に適用することができる。
【図面の簡単な説明】
【００４５】
【図１】本発明の実施形態によるプラズマ表示装置の分解斜視図である。
【図２】本発明の実施形態によるプラズマ表示パネルの概略的な概念図である。
【図３】本発明の実施形態によるシャーシベースの概略的な平面図である。
【図４】本発明の第１実施形態によるプラズマ表示装置の駆動波形図である。
【図５】本発明の第２実施形態によるプラズマ表示装置の駆動波形図である。
【符号の説明】
【００４６】
１０    プラズマ表示パネル、
２０    シャーシベース、
３０    前面ケース、
４０    後面ケース、
１００    アドレスバッファーボード、
２００    走査駆動ボード、
３００    走査バッファーボード、
４００    制御ボード、
５００    電源ボード。
【図１】
2006072350.tif 000003
【図２】
2006072350.tif 000004
【図３】
2006072350.tif 000005
【図４】
2006072350.tif 000006
【図５】
2006072350.tif 000007